(57)【要約】【課題】  ジブクレーンを用いた片持ち架設工法ではジブクレーン旋回時に橋桁の荷重とジブクレーン自体の荷重が架設済み橋桁に掛かって偏載荷となり、偏載荷が架設済み橋桁の強度に与える影響が大きい。広い空間が確保されないとジブクレーンが旋回できない。【解決手段】  架設装置に門型ジブクレーンを使用し、門型ジブクレーンを後方傾斜させて門型ジブクレーンの後方に用意された橋桁部材を門型ジブクレーンで吊上げ、門型ジブクレーンを前方傾斜させることにより前記橋桁部材を門型ジブクレーンの内側を通過させて架設済み橋桁部材の前方に移動させ且つその前方に張出して連結し、その後に門型ジブクレーンを後方傾斜させて後方に戻し、以下門型ジブクレーンによる橋桁部材の前記吊上げ、門型ジブクレーンの前方傾斜による吊上げ橋桁部材の前方移動、張出し、連結を繰り返して二以上の橋桁部材を順次連結架設するようにした。【選択図】  図１
2008050907.tif 000002
【特許請求の範囲】
【請求項１】
橋桁部材を架設済み橋桁部材の上の架設装置により移動して架設済み橋桁部材の先に張出して連結し、その移動、張出し連結の繰り返しにより二以上の橋桁部材を連結架設する橋桁部材の架設工法において、前記架設装置に門型ジブクレーンを使用し、門型ジブクレーンを後方傾斜させて門型ジブクレーンの後方に用意された橋桁部材を門型ジブクレーンで吊上げ、門型ジブクレーンを前方傾斜させることにより先に吊上げた橋桁部材を門型ジブクレーンの内側を通過させて架設済み橋桁部材の前方に移動させ且つその前方に張出させて連結し、その後に門型ジブクレーンを後方傾斜させて後方に戻し、以下門型ジブクレーンによる橋桁部材の前記吊上げ、門型ジブクレーンの前方傾斜による吊上げ橋桁部材の前方移動、張出し、連結を繰り返して二以上の橋桁部材を順次連結架設することを特徴とする橋桁部材架設工法。
【請求項２】
請求項１記載の橋梁部材架設工法において、門型ジブクレーンを架設済み橋桁部材の上を往復移動する移動台車の上に搭載し、門型ジブクレーンで吊上げた橋桁部材を前記移動台車又は橋桁部材の上を移動台車の後方において往復移動可能な運搬台車の上に載せ、移動台車又は／及び運搬台車を前方移動させることにより門型ジブクレーンと橋桁部材を架設済み橋桁部材の前方に移動させることを特徴とする橋桁部材架設工法。
【請求項３】
前後に傾斜可能であり橋桁部材を吊り下げ可能な門型ジブクレーンと、門型ジブクレーンを前後へ傾斜させるワイヤー操作機を備え、ワイヤー操作機は門型ジブクレーンの前方と後方のワイヤーを逆方向に伸縮操作可能であり、前方のワイヤーを伸ばして後方のワイヤーを縮めて門型ジブクレーンを後方傾斜させることができ、逆に、前方のワイヤーを縮めて後方のワイヤーを伸ばして門型ジブクレーンを前方傾斜させることができる、所定の傾斜角度に保持できることを特徴とする橋桁部材架設装置。
【請求項４】
請求項３記載の橋桁部材架設装置において、ワイヤー操作機がワイヤージャッキ又はクレビス付きジャッキ又はチェーンブロックのいずれかであり、ワイヤージャッキは門型ジブクレーンの下方であって門型ジブクレーンの前方と後方に設置され、それらワイヤージャッキはシリンダとそれから押し出し、引き戻し可能なピストンロッドとワイヤーを備え、夫々のワイヤージャッキのワイヤーは一端が門型ジブクレーンに他端がシリンダ側に連結され、夫々のワイヤーはピストンロッドが押し出されると縮んで門型ジブクレーンを引き、ピストンロッドが引き戻されると伸びて門型ジブクレーンの引きを緩め、前方のワイヤージャッキのピストンロッドと後方のワイヤージャッキのピストンロッドの押し出し・引き戻しを互いに逆にすると、前後のワイヤージャッキのワイヤーの引きと開放が逆になって門型ジブクレーンが前方傾斜或いは後方傾斜すると共に所定の傾斜角度に保持されることを特徴とする橋桁部材架設装置。
【請求項５】
請求項３又は請求項４記載の橋桁部材架設装置において、既設橋桁の上に移動台車又は／及び運搬台車を前後に往復移動可能に設け、運搬台車は移動台車の後方において往復移動可能であり、移動台車に門型ジブクレーン及びワイヤー操作機が搭載され、移動台車又は／及び運搬台車は橋桁部材、他の部材、工具などをも搭載可能であることを特徴とする橋桁部材架設装置。
【発明の詳細な説明】
【技術分野】
【０００１】
本件発明は橋脚や高架道路などの橋桁、主桁など（以下「橋桁部材」という。）を前方に張り出しながら連結して架設する橋桁部材架設工法とそれに使用される橋桁部材架設装置に関するものである。
【背景技術】
【０００２】
橋桁部材架設工法の一つに全旋回型ジブクレーンを用いた片持ち架設工法がある。それは架設済み橋桁の上に全旋回型のジブクレーンを設置し、ジブクレーンの後方に用意した橋桁をジブクレーンで吊上げ、ジブクレーンを旋回させて橋桁を架設済み橋桁の先方に移動し、その橋桁を降下して架設済み橋桁の先方に張り出して連結する方法である。
【発明の開示】
【発明が解決しようとする課題】
【０００３】
前記ジブクレーンを用いた片持ち架設工法では、ジブクレーンの旋回時に橋桁の荷重とジブクレーン自体の荷重が架設済み橋桁に掛かって偏載荷となるため、大きな橋桁の張出し架設を想定した場合、前記偏載荷が架設済み橋桁の強度に与える影響が大きいと考えられる。また、広い空間が確保されないとジブクレーンが旋回できないという課題もある。
【０００４】
近年は最小限の設備で軽く、偏載荷とならない架設工法が望まれている。又、橋桁をはじめとする各種橋桁部材の積み込み、小運搬まで含めた架設設備のシステム化が図れれば作業効率の向上の面で望ましい。
【０００５】
本件発明の橋桁部材架設工法及びその橋桁部材架設装置は前記課題を解決し、前記要望に応え、更なる改善を目指して開発されたものである。
【課題を解決するための手段】
【０００６】
本件出願の橋桁部材架設工法は、請求項１記載のように、橋桁部材を架設済み橋桁部材の上の架設装置により移動して架設済み橋桁部材の先に張出して連結し、その移動、張出し連結の繰り返しにより二以上の橋桁部材を連結架設する橋桁部材の架設工法において、前記架設装置に門型ジブクレーンを使用し、門型ジブクレーンを後方傾斜させて門型ジブクレーンの後方に用意された橋桁部材を門型ジブクレーンで吊上げ、門型ジブクレーンを前方傾斜させることにより先に吊上げた橋桁部材を門型ジブクレーンの内側を通過させて架設済み橋桁部材の前方に移動させ且つその前方に張出させて連結し、その後に門型ジブクレーンを後方傾斜させて後方に戻し、以下門型ジブクレーンによる橋桁部材の前記吊上げ、門型ジブクレーンの前方傾斜による吊上げ橋桁部材の前方移動、張出し、連結を繰り返して二以上の橋桁部材を順次連結架設するようにした。この場合、請求項２記載のように、門型ジブクレーンを架設済み橋桁部材の上を往復移動する移動台車の上に搭載し、門型ジブクレーンで吊上げた橋桁部材を前記移動台車又は橋桁部材の上を移動台車の後方において往復移動可能な運搬台車の上に載せ、移動台車又は／及び運搬台車を前方移動させることにより門型ジブクレーンと橋桁部材を架設済み橋桁部材の前方に移動させることもできる。
【０００７】
本件出願の橋桁部材架設装置は、請求項３記載のように、前後に傾斜可能であり橋桁部材を吊り下げ可能な門型ジブクレーンと、門型ジブクレーンを前後へ傾斜させるワイヤー操作機を備え、ワイヤー操作機は門型ジブクレーンの前方と後方のワイヤーを逆方向に伸縮操作可能であり、前方のワイヤーを伸ばして後方のワイヤーを縮めて門型ジブクレーンを後方傾斜させることができ、前方のワイヤーを縮めて後方のワイヤーを伸ばして門型ジブクレーンを前方傾斜させることができる、所定の傾斜角度に保持できるようにした。この場合、請求項４記載のように、ワイヤー操作機をワイヤージャッキ又はクレビス付きジャッキ又はチェーンブロックのいずれかにし、ワイヤージャッキは門型ジブクレーンの下方であって門型ジブクレーンの前方と後方に設置され、それらワイヤージャッキはシリンダとそれから押し出し、引き戻し可能なピストンロッドとワイヤーを備え、夫々のワイヤージャッキのワイヤーは一端が門型ジブクレーンに他端がシリンダ側に連結され、夫々のワイヤーはピストンロッドが押し出されると縮んで門型ジブクレーンを引き、ピストンロッドが引き戻されると伸びて門型ジブクレーンの引きを緩め、前方のワイヤージャッキのピストンロッドと後方のワイヤージャッキのピストンロッドの押し出し・引き戻しを互いに逆にすると、前後のワイヤージャッキのワイヤーの引きと開放が逆になって門型ジブクレーンが前方傾斜或いは後方傾斜すると共に所定の傾斜角度に保持されるものとすることができる。また、前記橋桁部材架設装置は請求項５記載のように、既設橋桁の上に移動台車又は／及び運搬台車を前後に往復移動可能に設け、運搬台車は移動台車の後方において往復移動可能であり、移動台車に門型ジブクレーン及びワイヤー操作機が搭載され、移動台車又は／及び運搬台車は橋桁部材、他の部材、工具などをも搭載可能とすることができる。
【発明の効果】
【０００８】
本件出願の請求項１記載の橋桁部材架設工法は、門型ジブクレーンで吊上げた橋桁部材を、門型ジブクレーンの後方傾斜、前方傾斜により、門型ジブクレーンの内側を通過させて門型ジブクレーンの後方から架設済み橋桁部材の前方に移動させるため、移動時に偏載荷状態にならず、架設済み橋桁部材の強度に及ぼす影響が軽減される。また、門型ジブクレーンが旋回しないため広い空間がなくとも架設作業ができる。
【０００９】
本件出願の請求項２記載の橋桁部材架設工法は、門型ジブクレーンとそれで吊上げた橋桁部材を移動台車に載せ、移動台車を門型ジブクレーンの内側を移動させて既設橋桁部材の前方に移動させるので、橋桁部材の移動が容易になる。また、門型ジブクレーンに掛かる橋桁部材移動時の荷重負担が軽減される。
【００１０】
本件出願の請求項３、４記載の橋桁部材架設装置は次のような効果がある。
（１）門型ジブクレーンと、門型ジブクレーンを前後へ傾斜させるワイヤー操作機で構成されるため簡潔な橋桁部材架設装置となる。
（２）ワイヤー操作機をワイヤージャッキ又はクレビス付きジャッキ又はチェーンブロックのいずれかにすることができるため、それらのうち施工現場に合わせて用意し易く使用し易いものを選択使用することができる。
（３）ワイヤー操作機にワイヤージャッキを使用した場合は、ワイヤージャッキのピストンロッドの押し出し、引き戻し操作により門型ジブクレーンを前方傾斜或いは後方傾斜させることができるので、橋桁部材の吊上げ、移動などの操作が容易になる。
【００１１】
本件出願の請求項５記載の橋桁部材架設装置は、架設済み橋桁部材の上に前後に往復移動可能な移動台車と運搬台車の双方又は一方を設け、移動台車に門型ジブクレーン及びワイヤー操作機を、移動台車又は／及び運搬台車に橋桁部材、他の部材、工具などが搭載可能であるため、次のような効果がある。
（１）橋桁部材、他の部材、工具などが台車の上に整理して搭載されてシステム化され、それら機器や工具などの積み込み、運搬が容易になり、作業効率が向上する。
（２）移動台車と運搬台車を別々に移動させることにより門型ジブクレーン及びワイヤー操作機の移動と、他の部材、機器の移動を別々に行って必要なものだけを移動或いは運搬することができる。
【発明を実施するための最良の形態】
【００１２】
（橋桁部材架設工法の実施形態１）
本件出願の橋桁部材架設工法の一実施例を図面に基づいて説明する。図示した橋桁部材架設工法は橋桁部材１が橋桁の場合であり、それを架設済み橋桁部材２の上に設置した門型ジブクレーン３の吊り具４で吊り上げて架設済み橋桁部材２の前方に移動し、架設済み橋桁部材２の前方に張出して架設済み橋桁部材２に連結し、その移動、張出し、連結の繰り返しにより二以上の橋桁部材１を連結架設する工法である。なお、図１のＡは橋台である。
【００１３】
使用する門型ジブクレーン３は既存のものでも、それを改良したものでも使用可能である。図１〜図４では門型ジブクレーン３は架設済み橋桁部材２の上を往復走行可能な移動台車５の上に搭載されており、それを後方に傾斜させ、門型ジブクレーン３の後方に用意してある橋桁部材をその吊り具４で吊り上げてから門型ジブクレーン３を起立させて橋桁部材１を移動台車５の上に載せる。その後に移動台車５を架設済み橋桁部材２の前方に移動させ、門型ジブクレーン３の内側を通過させて前方まで移動させ架設済み橋桁部材２の先端近くで停止させる。停止位置で門型ジブクレーン３を前傾させ、移動台車５の上の橋桁部材１を吊り具４で吊上げて架設済み橋桁部材２の前方に張出し、ボルト・ナットとか他の連結部材で架設済み橋桁部材２の先端に連結する。連結し終えたら門型ジブクレーン３を真上に起立させ、移動台車５を後方移動させて門型ジブクレーン３を架設済み橋桁部材２の後方に戻し、門型ジブクレーン３を後方傾斜させて前記吊り具４を門型ジブクレーン３の内側を通過させて後方に戻す。
【００１４】
以後、前記のように吊り具４による橋桁部材の吊上げ、門型ジブクレーン３の起立及び吊上げた橋桁部材１の移動台車５への搭載、橋桁部材１を門型ジブクレーン３の内側を通過させての前方への移動、橋桁部材１の張出し、その連結の繰り返しにより、二以上の橋桁部材１を架設済み橋桁部材２の先端に順次連結して橋梁桁を完成するようにしてある。
【００１５】
門型ジブクレーン３の後方傾斜、起立、前方傾斜は移動台車５に搭載してあるワイヤージャッキ６で行うようにしてある。ワイヤージャッキ６は移動台車５に搭載した門型ジブクレーン３の前方と後方に設置してあり、前方ワイヤージャッキ６のワイヤー７を延ばして門型ジブクレーン３の引きを緩めながら後方ワイヤージャッキ６のワイヤー７を引いて門型ジブクレーン３を後方に引くと門型ジブクレーン３が次第に後方傾斜する。それとは逆に、後方ワイヤージャッキ６のワイヤー７を延ばして門型ジブクレーン３の引きを緩めながら前方ワイヤージャッキ６のワイヤー７を引いて門型ジブクレーン３を前方に引くと門型ジブクレーン３が次第に前方傾斜するようにしてある。
【００１６】
（橋桁部材架設工法の実施形態２）
前記実施形態１の門型ジブクレーン３とワイヤージャッキ６は移動台車５の上に搭載してあるが、連結架設する橋梁が短く、門型ジブクレーン３の前後傾斜の可動範囲（ストローク）が大きく、移動しなくとも多数の橋桁部材を連結架設可能であれば、必ずしも移動台車で移動させる必要はなく、架設済み橋桁の上に固定しておくこともできる。
【００１７】
（橋桁部材架設装置の実施形態）
本件出願の橋桁部材架設装置の一実施形態を図面に基づいて説明する。これら図の橋桁部材架設装置は門型ジブクレーン３のワイヤーを操作するワイヤー操作機にワイヤージャッキ６を使用したものである。図１の橋桁部材架設装置は架設済み橋桁部材２の上に前後に往復移動可能に設置した移動台車５の上に門型ジブクレーン３とワイヤージャッキ６が搭載されている。ワイヤージャッキ６は移動台車５の幅方向両側で門型ジブクレーン３の前後に１本ずつ計４本が前後に向けて設置されている。
【００１８】
移動台車５は回転車輪を備えており、電動モータとか他の動力により架設済み橋桁部材２の上を往復移動できるようにしてある。移動台車５の上面は門型ジブクレーン３、４本のワイヤージャッキ６を搭載でき、更に橋桁部材や他の各種部材、橋桁部材の連結に必要な連結治具や工具などをも搭載可能な広さにしてある。
【００１９】
門型ジブクレーン３は既存のものでも、それを改良したものでも使用可能である。門型ジブクレーン３は前方から後方まで往復傾斜できるものであり、天井から吊り具４が吊り下げられている。この門型ジブクレーン３は移動台車５の前後方向中央に搭載されている。
【００２０】
ワイヤージャッキ６は前記門型ジブクレーン３を前後に傾斜させるものであり、図５に示すように、シリンダ８とそれから押し出し・引き戻し可能なピストンロッド９とワイヤー７を備えている。シリンダ８及びピストンロッド９、ピストンロッド９の先端に回転自在に取付けられた移動滑車１０、固定滑車１１、ガイド滑車１２は図１（ａ）〜（ｃ）に示すケース１３内に収容されており、移動滑車１０はピストンロッド９の押し出し・引き戻しに伴って前後に移動し、固定滑車１１、ガイド滑車１２は共にケース１３内に回転自在に取り付けられている。
【００２１】
前記ワイヤー７は図６（ａ）〜（ｃ）に明示するように、一端が門型ジブクレーン３に連結され、途中がガイド滑車１２、固定滑車１１、移動滑車１０の外周に掛けられ、他端が固定滑車１１の回転軸１４（図５）に固定されている。このためワイヤー７はピストンロッド９を押し出す（図５では左側に）と縮んで門型ジブクレーン３の引きが強まり、門型ジブクレーン３を図６（ａ）の直立位置から図６（ｂ）のように後方に傾斜させることができ、逆に、ピストンロッド９を引き戻す（図５では右側に）と伸びて門型ジブクレーン３の引きが緩まり、門型ジブクレーン３を図６（ａ）の直立位置から図６（ｃ）のように前方に傾斜させることができる。従って、前方ワイヤージャッキ６のピストンロッド９を引き戻してワイヤー７を緩めて門型ジブクレーン３の引きを緩めながら、後方ワイヤージャッキ６のピストンロッド９を押し出してワイヤー７を引いて門型ジブクレーン３を後方に引くと門型ジブクレーン３が次第に後方傾斜する。それとは逆に、後方ワイヤージャッキ６のピストンロッド９を引き戻してワイヤー７を緩めて（延ばして）門型ジブクレーン３の引きを緩めながら前方ワイヤージャッキ６のピストンロッド９を押し出してワイヤー７を引いて門型ジブクレーン３を前方に引くと門型ジブクレーン３が次第に前方傾斜し、前後のワイヤージャッキ６のピストンロッド９の押し出し或いは引き戻しを停止させると門型ジブクレーン３がその位置に停止し保持されるようにしてある。
【００２２】
本件発明のワイヤー操作機にはワイヤージャッキ以外に、クレビス付きジャッキ、チェーンブロック、その他のワイヤー操作可能な機器を使用することができる。クレビス付きジャッキを使用する場合は、例えば図７に示すようにクレビス付きジャッキ２０を門型ジブクレーン３の前方のワイヤー、後方のワイヤーの夫々の下端寄り位置に取付けて前方側ワイヤーと後方側ワイヤーを伸縮操作できるようにする。
【産業上の利用可能性】
【００２３】
本件発明の橋桁部材架設工法と架設装置は高架での架設作業であれば、橋、高架道路以外の高架設備の施工や、ビルなどの構造物の鉄骨の架設作業などにも利用可能である、
【図面の簡単な説明】
【００２４】
【図１】（ａ）は本件発明の橋桁部材架設工法において、門型ジブクレーンを後方傾斜させて橋桁部材を吊上げる状態の説明図、（ｂ）は門型ジブクレーンを直立させて橋桁部材を門型ジブクレーンの内側を通過させる状態の説明図、（ｃ）は門型ジブクレーンを前方傾斜させて橋桁部材を架設済み橋桁部材の前方に下ろして張り出す状態の説明図。
【図２】（ａ）は図１（ａ）の状態の側面図、（ｂ）は図１（ａ）の状態の正面図。
【図３】（ａ）は図１（ｂ）の状態の側面図、（ｂ）は図１（ｂ）の状態の正面図。
【図４】（ａ）は図１（ｃ）の状態の側面図、（ｂ）は図１（ｃ）の状態の正面図。
【図５】本件発明のワイヤージャッキの側面説明図。
【図６】（ａ）は本件発明の橋桁部材架設工法において、門型ジブクレーンを直立させた状態の側面図、（ｂ）は門型ジブクレーンを後方傾斜させた状態の側面図、（ｃ）は門型ジブクレーンを前方傾斜させた状態の側面図。
【図７】本件発明の橋桁部材架設工法において、ワイヤー操作機にクレビス付きジャッキを使用した場合の概略図。
【符号の説明】
【００２５】
１  橋桁部材
２  架設済み橋桁部材
３  門型ジブクレーン
４  吊り具
５  移動台車
６  ワイヤージャッキ
７  ワイヤー
８  シリンダ
９  ピストンロッド
１０  移動滑車
１１  固定滑車
１２  ガイド滑車
１３  ケース
１４  固定滑車の回転軸
２０  クレビス付きジャッキ
【図１】
2008050907.tif 000003
【図２】
2008050907.tif 000004
【図３】
2008050907.tif 000005
【図４】
2008050907.tif 000006
【図５】
2008050907.tif 000007
【図６】
2008050907.tif 000008
【図７】
2008050907.tif 000009